(57)【特許請求の範囲】
【請求項１】
内側に空間を有し軟質弾性材からなるグロメット本体と、前記空間に嵌りこむ筒状の硬質弾性材からなるロック部材とを嵌合し、パネルの取付穴に係止するためのグロメットであって、
前記グロメット本体は、ワイヤハーネスを把持するハーネス挿通筒と、該ハーネス挿通筒が反パネル側の基部上に設けられた基板と、から構成され、
前記基板は、基部周縁のパネル側に延設された外周部と、該外周部のパネル側先端よりパネルに沿って取付穴側に延設された内周部と、該内周部のパネル側に設けられた水密性を確保する防水リップと、前記基部と前記外周部と前記内周部とにより囲まれた空間である環状凹部と、を備え、
前記ロック部材は、前記環状凹部に嵌合する環状のフランジの内径部に立設された周壁と、該周壁の外周面の中間部に設けられた係止爪を有する係止部と、該係止部から前記フランジ方向に延設され、先端部分を前記フランジの内径方向に押圧することで内径方向に撓むレバー部と、を備え、
前記グロメット本体の前記基部上に、前記レバー部先端と前記フランジ内壁面との間の空間に配置される治具挿入用の解除穴を備えていることを特徴とするグロメット。
【請求項２】
前記レバー部先端が、前記フランジ上面から突出しないことを特徴とする請求項１記載のグロメット。
【請求項３】
前記基板が、前記ハーネス挿通筒を備えた第１基板と、前記第１基板の外周に手指により内径方向に押圧可能な高さの段差部を有するように該第１基板より低く周設された第２基板と、該第２基板の基部周縁のパネル側に延設された外周部と、該外周部のパネル側先端よりパネルに沿って取付穴側に延設された内周部と、前記基部と前記外周部と前記内周部とにより囲まれた空間であり、前記フランジが嵌合する環状凹部と、から構成されており、
前記レバー部先端が、前記フランジ上面から突出するように延設されると共に前記段差部内壁に隣接するように配置され、
前記解除穴が、前記第２基板の前記基部上で前記段差部に隣接した位置に設けられていることを特徴とする請求項１記載のグロメット。
【発明の詳細な説明】
【０００１】
【発明の属する技術分野】
本発明は、弾性軟質材からなるグロメット本体と弾性硬質材からなるロック部材とから構成されるグロメットに係わり、詳しくは手の入らない狭い場所でも取外し作業が容易なグロメットに関する。
【０００２】
【従来の技術】
従来から、自動車のパネル穴等を挿通して配線されるワイヤハーネスをパネル穴縁部等から保護するため、また防水性を確保するために、種々なグロメットが使用されている。
図７及び図８に示した従来のグロメット５０は、ゴム等の弾性軟質材からなるグロメット本体５２と、合成樹脂等の弾性硬質材からなるロック部材５３とから構成されている。前記グロメット本体５２は、ワイヤハーネスＷを水密的に把持するハーネス挿通部５５が蛇腹部６８を介して円板状の基板５４外面の同軸上に設けられている。
また、前記グロメット本体５２の前端部には防水リップ５６が立設され、前記グロメット本体５２の内周面には環状凹部６０が形成されている。
【０００３】
また、前記ロック部材５３は、前記グロメット本体５２の内周面の環状凹部６０に嵌合するフランジ６１を有し、該フランジの内径部には周壁６２が立設されている。
また、該周壁６２の内面には４個の中空凸部６９が設けられており、該中空凸部６９の側壁には、フランジ６１から突出するように延設され、当該突出部分は後述するレバー部６５の先端をガードする保護壁６６として機能する。
【０００４】
また、前記ロック部材５３の周壁６２の前端（図中下端）には、先端に係止爪６４を有する係止部６３が外方向に立設されている。
更に、前記係止部６３の先端には、周壁６２に対して略平行にレバー部６５が延設されており、該レバー部の先端は前記保護壁６６と略同じ高さまでフランジ６１から突出している。従って、レバー部６５先端のフランジ６１から突出した部分を指などによって内方向に押圧することで、レバー部６５は内方向に撓むことができる。
【０００５】
また、前記グロメット本体５２の基板５４の外面には、前記フランジ６１から突出した保護壁６６及びレバー部６５先端を覆う弾性カバー５７が設けられている。また、前記弾性カバー５７の内面には、撓んだレバー部６５の先端を保持する保持突起５９を有し、前記弾性カバー５７の外面且つ内方向端部には、前記保持突起５９とレバー部６５先端の係合状態を解除する押し出し突起５８を備えている。
【０００６】
次に、図９に示したように上記グロメット５０は、想像線で示したパネルＰの取付穴に取付けられている状態を示し、係止爪６４はパネル穴縁部に係合している。また、前記レバー部６５と周壁６２との間には、たわみ空間６９が画成されており、弾性カバー５７の外側から図中Ｍ方向に外力を加えると、レバー部６５は係止部６３を基点に内方向に撓む。このとき、レバー部６５の両側は保護壁６６によりガードされているので、手指等によりレバー部６５の先端を集中的に押圧する必要がある。
【０００７】
すると、図１０に示したように上記レバー部６５の先端が、弾性カバー５７の内面に設けられた保持突起５９に係合し、レバー部６５は撓んだ状態を保持する。この状態では、係止爪６４とパネル穴縁部との係合は外れているので、グロメットを取付穴から容易に抜き取ることができる。
そして、弾性カバー５７の外面に設けられた押し出し突起５８に、図中Ｎ方向に外力を加えることにより、保持突起５９によるレバー部６５先端の係合状態は解除され、再び図８の状態に戻すことができる。
【０００８】
【発明が解決しようとする課題】
しかしながら、上述した従来のグロメット５０は、取付穴等に取付けられた状態において、ワイヤハーネスＷが接続されている機器の修理や清掃等を行うためにグロメット５０を取付穴等から取り外す際に、手の入るスペースがない場合には取り外しが困難であるという問題があった。
【０００９】
本発明は、上記課題を解決するためになされたものであり、取り付けられたグロメットを手の入らない狭い場所でも容易に取り外すことができるグロメットを提供することにある。
【００１０】
【課題を解決するための手段】
本発明に係わる上記課題は、内側に空間を有し軟質弾性材からなるグロメット本体と、前記空間に嵌りこむ筒状の硬質弾性材からなるロック部材とを嵌合し、パネルの取付穴に係止するためのグロメットであって、前記グロメット本体は、ワイヤハーネスを把持するハーネス挿通筒と、該ハーネス挿通筒が反パネル側の基部上に設けられた基板と、から構成され、前記基板は、基部周縁のパネル側に延設された外周部と、該外周部のパネル側先端よりパネルに沿って取付穴側に延設された内周部と、該内周部のパネル側に設けられた水密性を確保する防水リップと、前記基部と前記外周部と前記内周部とにより囲まれた空間である環状凹部と、を備え、前記ロック部材は、前記環状凹部に嵌合する環状のフランジの内径部に立設された周壁と、該周壁の外周面の中間部に設けられた係止爪を有する係止部と、該係止部から前記フランジ方向に延設され、先端部分を前記フランジの内径方向に押圧することで内径方向に撓むレバー部と、を備え、前記グロメット本体の前記基部上に、前記レバー部先端と前記フランジ内壁面との間の空間に配置される治具挿入用の解除穴を備えていることを特徴とするグロメットによって解決することができる。
【００１１】
前記構成のグロメットによれば、グロメット本体の基部上に、レバー部先端とフランジ内壁面との間の空間に配置される治具挿入用の解除穴を備えているので、グロメットをパネルより取り外す場合、解除穴内にマイナスドライバー等の先端を挿入して該解除穴の内側壁を介してレバー部先端を内側方向に撓ませることで、取付穴に係止されている係止爪を解除することができる。従って、グロメットを取付穴から取り外す際、手の入らない狭い場所であってもマイナスドライバー等の治具により容易にグロメットを取り外すことができ、作業性の向上を図ることができる。
【００１２】
また、前記グロメットにおいて、好ましくは前記レバー部先端が、前記フランジ上面から突出しないことを特徴とするグロメットによって解決できる。
前記構成のグロメットによれば、レバー部先端がフランジ上面から突出していないので、グロメット本体との組み付け前にレバー部の先端が他部材と干渉して破損するようなことはなく、レバー部の先端をガードする保護壁等も不要となる。従って、ロック部材の構造が簡単となり、コスト削減を図ることができる。
【００１３】
更に、前記グロメットにおいて、好ましくは前記基板が、前記ハーネス挿通筒を備えた第１基板と、前記第１基板の外周に手指により内径方向に押圧可能な高さの段差部を有するように該第１基板より低く周設された第２基板と、該第２基板の基部周縁のパネル側に延設された外周部と、該外周部のパネル側先端よりパネルに沿って取付穴側に延設された内周部と、前記基部と前記外周部と前記内周部とにより囲まれた空間であり、前記フランジが嵌合する環状凹部と、から構成されており、前記レバー部先端が、前記フランジ上面から突出するように延設されると共に前記段差部内壁に隣接するように配置され、前記解除穴が、前記第２基板の前記基部上で前記段差部に隣接した位置に設けられていることを特徴とするグロメットによって解決することができる。
【００１４】
前記構成のグロメットによれば、手指により内径方向に押圧可能な高さの段差部を有するように第１基板の外周に設けられており、その段差部内壁に隣接するようにレバー部先端が配置され、解除穴が第２基板の基部上で段差部に隣接した位置に設けられているので、グロメットの取り付け位置が手の入らない狭い場所の場合、解除穴内にマイナスドライバー等の治具の先端を挿入して上述したように容易にグロメットを取り外すことができる。
また、グロメットの取り付け位置が手の入る広い場所の場合、無理に治具を使用することなく、レバー部先端が隣接している段差部外壁を手で内側方向に押圧することで、レバー部先端を内側方向に撓ませ、取付穴に係止されている係止爪を解除することができる。従って、グロメットの取り付け位置によって解除方法を選択することができ、作業性の向上を一層図ることができる。
【００１５】
【発明の実施の形態】
以下、本発明のグロメットの一実施形態を図１乃至図６に基づいて詳細に説明する。図１は本発明のグロメットの一実施形態を示す分解斜視図、図２は図１における組立完了状態の断面図、図３は図２におけるＡ−Ａ線断面図、図４はグロメットの取り外し時の作用を示す要部の部分拡大断面図、図５は図４とは別の取り外し操作を示す要部の部分拡大断面図、図６は本発明のグロメットの一実施形態の変形例を示す断面図である。
【００１６】
図１に示されているように本実施形態のグロメット１は、グロメット本体２と、ロック部材３とから構成されている。このグロメット本体２はゴム等の弾性軟質材からなり、ロック部材３は合成樹脂等の弾性硬質材から形成されている。
前記グロメット本体２には、ワイヤハーネスＷを水密的に把持するハーネス挿通部５が楕円板状の基板４外面に設けられている。また、前記グロメット本体２の前端部には水密性を確保する２重の防水リップ６が立設されている。また、前記基板４の内周面には後述するフランジ１１を嵌合する環状凹部８が形成されている。
【００１７】
更に、本実施形態のグロメット本体２は、基板４外面上に後述するレバー部１５先端とフランジ１１の内壁面との間に配置され、底壁と四方に周壁を有する治具挿入用の解除穴７がハーネス挿通部５の両側に設けられている。
【００１８】
また、前記ロック部材３は、前記グロメット本体２側の環状凹部８に嵌合することができる楕円状のフランジ１１を有し、該フランジの内径部には周壁１２が立設された略筒状である。この周壁１２の対向した位置には、外側に係止爪１４を有する係止部１３が立設されている。
更に、本実施形態のロック部材３は、係止部１３先端（図中上方）に先端部分を内側方向に押圧することで内側方向に撓むレバー部１５が、その先端部分をフランジ１１上面から突出しないように延設されている。
【００１９】
次に、上記グロメット本体２へのロック部材３の組付け手順を説明する。
先ず、ワイヤハーネスＷをグロメット本体２のハーネス挿通部５内に挿通させてから、ロック部材３に挿通させる。そして、ロック部材３のフランジ１１をグロメット本体２の環状凹部８内に嵌合させることで、解除穴７がレバー部１５先端とフランジ１１の内壁面との間に配置された状態で一体化される（図２参照）。
【００２０】
次に、上記グロメット１のパネルＰへの取り付け作用を説明する。
図３に示すようにグロメット１がパネルＰに設けられた取付穴Ｐ1 に図中Ｂ方向から押し込められると、ロック部材３の周壁１２前端が挿入されて一対の係止爪１４が取付穴Ｐ1 の周縁に当接する。
そして、さらに押し込むと一対の係止部１３全体を内側方向に徐々に撓ませながら挿入され、係止爪１４が取付穴Ｐ1 の周縁を乗り越えてパネルＰ裏面側に係止される。この時、撓んでいた一対の係止部１３は元の状態に復帰して、解除穴７を形成する周壁に当接すると共に、基板４前端の２重構成の防水リップ６がパネルＰ面に当接して水密性を確保する。
【００２１】
次に、上記グロメット１のパネルＰからの取り外し手順を説明する。
図４（ａ）に示すように解除穴７内にマイナスドライバーＴの先端を挿入してから、矢印Ｃ方向に回転させると該解除穴７を拡幅させるように弾性変形しようとする。しかし、解除穴７の外側方向の周壁はフランジ１１が嵌合しているため殆ど弾性変形できず、解除穴７の内側方向の周壁のみが内側方向に弾性変形する。この時、内側周壁に当接していたレバー部１５が矢印Ｄ方向に撓むことになる。
【００２２】
そして、図４（ｂ）に示すように、この撓みによりパネルＰ裏面の取付穴Ｐ1周縁に係止されていた係止爪１４が外れると共に、グロメット本体２を引き抜くことで容易にグロメット１をパネルＰから取り外すことができる。従って、グロメット１が手の入らない狭い場所に取り付けられている場合でもマイナスドライバー等を使用して容易にグロメットを取り外すことができる。
【００２３】
また、前記マイナスドライバーＴとは異なる治具操作として、図５（ａ）に示すように前記マイナスドライバーＴの先端を解除穴７内に挿入してから、矢印Ｅ方向に移動させると該解除穴７が内側方向に拡幅するように弾性変形する。これにより、解除穴７の内側周壁に当接していたレバー部１５が矢印Ｆ方向に撓むことになる。従って、図５（ｂ）に示すように、この撓みによりパネルＰ裏面の取付穴Ｐ1周縁に係止されていた係止爪１４が外れ、グロメット本体２を引き抜くことで容易にグロメット１をパネルＰから取り外すこともできる。
【００２４】
上述したように本実施形態のグロメット１によれば、グロメット本体２が基板４外面上にレバー部１５先端とフランジ１１の内壁面との間に配置される治具挿入用の解除穴７を備えている。従って、グロメット１をパネルＰより取り外す場合、解除穴７内にマイナスドライバーＴ等の先端を挿入して該解除穴７の内側壁を介してレバー部１５先端を内側方向に撓ませることで、係止されている係止爪１４を解除することができる。よって、手の入らない狭い場所であっても容易にグロメット１を取り外すことができ、作業性の向上を図ることができる。
【００２５】
また、前記レバー部１５先端がフランジ１１上面から突出していないので、グロメット本体２との組み付け前にレバー部１５の先端が他部材と干渉して破損するようなことはなく、レバー部１５の先端をガードする保護壁等も不要となる。よって、ロック部材３の構造が簡単となり、コスト削減を図ることができる。
【００２６】
次に、本実施形態の変形例を図６に基づいて説明する。なお、グロメットの組付けやパネルへの取り付け作用は上記グロメット１の場合と同じなので省略する。図６に示すようにグロメット２０は、上述したグロメット１と異なり、ハーネス挿通筒５を備えた第１基板２３の外周部分に手指により内方向に押圧可能な高さの段差部２９が立設されている。また、段差部２９下端から第２基板２４が前記段差部２９だけ低い位置に周設されている。
また、レバー部２７先端がフランジ１１上面から突出するように延設されており、段差部２９の内壁面に当接している。また、解除穴２８が第２基板２４外面上の段差部２９に隣接した位置に設けられている。
【００２７】
次に、上記グロメット２０のパネルＰからの取り外し手順を説明する。
先ず、手の入らない狭い場所での取り外し作業の場合、図６に示すように、解除穴２８内にマイナスドライバー（図示されていない）の先端を挿入してから、矢印Ｇ方向に移動させると解除穴２８を形成する内側方向の周壁が内側方向に弾性変形する。この時、内側周壁に当接していたレバー部２７が矢印Ｈ方向に撓むことにより、パネルＰの取付穴Ｐ1 に係止されていた係止爪２６が外れ、グロメット２０をパネルＰから容易に取り外すことができる。
【００２８】
次に、手の入る広い場所での取り外し作業の場合、無理に治具を使用することなく、レバー部２７先端が隣接している段差部２９外壁を手で内側方向に押圧することで、レバー部２７先端を内側方向に撓ませ、係止されている係止爪２６を解除することができる。
【００２９】
上述したように本実施形態の変形例であるグロメット２０によれば、手指により内方向に押圧可能な高さの段差部２９が第１基板２３の外周に設けられており、その段差部２９内壁に隣接するようにレバー部２７先端が配置されている。また、解除穴２８が第２基板２４外面上の段差部２９に隣接した位置に設けられている。
従って、グロメット２０の取り付け位置が手の入らない狭い場所の場合、マイナスドライバー等の治具を使って容易にグロメットを取り外すことができると共に、グロメット２０の取り付け位置が手の入る広い場所の場合、無理に治具を使用することなく、手で容易にグロメットを取り外すことができる。よって、グロメットの取り付け位置によって解除方法を選択することができ、作業性の向上を一層図ることができる。
【００３０】
【発明の効果】
以上説明したように本発明のグロメットによれば、グロメット本体の基部上に、レバー部先端とフランジ内壁面との間の空間に配置される治具挿入用の解除穴を備えているので、グロメットをパネルより取り外す場合、解除穴内に治具の先端を挿入してレバー部先端を内側方向に撓ませることで、係止爪を解除することができる。
従って、グロメットを取付穴から取り外す際、手の入らない狭い場所であっても治具により容易にグロメットを取り外すことができ、作業性の向上を図ることができる。
【００３１】
また、前記グロメットにおいて、レバー部先端がフランジ上面から突出していないので、グロメット本体との組み付け前にレバー部の先端が他部材と干渉して破損するようなことはなく、レバー部の先端をガードする保護壁等も不要となる。従って、ロック部材の構造が簡単となり、コスト削減を図ることができる。
【００３２】
更に、前記グロメットにおいて、前記基板が、前記ハーネス挿通筒を備えた第１基板と、前記第１基板の外周に手指により内径方向に押圧可能な高さの段差部を有するように該第１基板より低く周設された第２基板と、該第２基板の基部周縁のパネル側に延設された外周部と、該外周部のパネル側先端よりパネルに沿って取付穴側に延設された内周部と、前記基部と前記外周部と前記内周部とにより囲まれた空間であり、前記フランジが嵌合する環状凹部と、から構成されており、前記レバー部先端が、前記フランジ上面から突出するように延設されると共に前記段差部内壁に隣接するように配置され、前記解除穴が、前記第２基板の前記基部上で前記段差部に隣接した位置に設けられている。
従って、グロメットの取り付け位置が手の入らない狭い場所の場合、解除穴内に治具の先端を挿入してグロメットを取り外すことができると共に、グロメットの取り付け位置が手の入る広い場所の場合、無理に治具を使用することなく、レバー部先端が隣接している段差部外壁を手で内側方向に押圧することで、グロメットを取り外すことができる。よって、グロメットの取り付け位置によって解除方法を選択することができ、作業性の向上を一層図ることができる。
【図面の簡単な説明】
【図１】本発明のグロメットの一実施形態を示す分解斜視図である。
【図２】図１における組立完了状態の断面図である。
【図３】図２におけるＡ−Ａ線断面図である。
【図４】図３におけるグロメットの取り外し時の作用を示す要部の部分拡大断面図である。
【図５】図４とは別の取り外し操作を示す要部の部分拡大断面図である。
【図６】本発明のグロメットの一実施形態の変形例を示す断面図である。
【図７】従来のグロメットを示す分解斜視図である。
【図８】図７における組立断面図である。
【図９】図８におけるレバー部に外力を作用させる前の状態を示す拡大図である。
【図１０】図８におけるレバー部に外力を作用させた後の状態を示す拡大図である。
【符号の説明】
１，２０    グロメット
２，２１    グロメット本体
３，２２    ロック部材
４          基板
５          ハーネス挿通筒
６          防水リップ
７，２８    解除穴
８          環状凹部
１１        フランジ
１２        周壁
１３，２５  係止部
１４，２６  係止爪
１５，２７  レバー部
２３        第１基板
２４        第２基板
２９        段差部
Ｐ        パネル
Ｔ        治具
Ｗ        ワイヤハーネス
【図１】
0003835791.tif 000002
【図２】
0003835791.tif 000003
【図３】
0003835791.tif 000004
【図４】
0003835791.tif 000005
【図５】
0003835791.tif 000006
【図６】
0003835791.tif 000007
【図７】
0003835791.tif 000008
【図８】
0003835791.tif 000009
【図９】
0003835791.tif 000010
【図１０】
0003835791.tif 000011